(57)【要約】【課題】雄バックルと雌バックルとの掛合によって、雄バックルに取り付けられた帯状体などと雌バックルに取り付けられた帯状体などとを、様々なバリエーションをもってつなぎ合わせることができるようにする。【解決手段】サイドリリースタイプのバックルＳＲである。このバックルＳＲを構成する雌バックル２が、この雌バックル２の対向位置にそれぞれ設けられて一組をなす帯状体Ｗないしは紐状体の通し部２５を、一組以上有している。【選択図】図１
2005160687.tif 000002
【特許請求の範囲】
【請求項１】
扁平筒状をなす雌バックルと、この雌バックルの入込開口を通じてこの雌バックル内に内向きに弾性変形させられながら差し込まれる一対の差込脚部を備えた雄バックルとを備え、雌バックルにおける雄バックルの差込脚部の差し込み方向に沿ったこの雌バックルの両幅狭の側部に形成された掛合窓にそれぞれ、この雌バックルに雄バックルの差込脚部を差し込み切った位置でのこの差込脚部の弾発によって、この差込脚部に形成された掛合部を掛合させるように構成されたサイドリリースタイプのバックルであって、
前記雌バックルが、この雌バックルの対向位置にそれぞれ設けられて一組をなす帯状体ないしは紐状体の通し部を、一組以上有していることを特徴とするサイドリリースタイプのバックル。
【請求項２】
一組の通し部の一方が、雌バックルにおける掛合窓の形成された側部の一方の側方に形成され、かつ、一組の通し部の他方が、雌バックルにおける掛合窓の形成された側部の他方の側方に形成されていることを特徴とする請求項１記載のサイドリリースバックル。
【請求項３】
通し部が、雌バックルにおける掛合窓を間において、この掛合窓の形成された側部に一端を一体に接合させて側方に延びる一対のアームと、この一対のアーム間に亘る一以上のクロスバーとから構成してあることを特徴とする請求項２記載のサイドリリースバックル。
【請求項４】
一対の背負いバンド間に亘るチェストストラップを有するリュックサックであって、
扁平筒状をなす雌バックルと、この雌バックルの入込開口を通じてこの雌バックル内に内向きに弾性変形させられながら差し込まれる一対の差込脚部を備えた雄バックルとを備え、雌バックルにおける雄バックルの差込脚部の差し込み方向に沿ったこの雌バックルの両幅狭の側部に形成された掛合窓にそれぞれ、この雌バックルに雄バックルの差込脚部を差し込み切った位置でのこの差込脚部の弾発によって、この差込脚部に形成された掛合部を掛合させるように構成されたサイドリリースタイプのバックルを構成する雄バックルを一対の背負いバンドの一方に他端部を連接させたチェストストラップの一端部に備えており、
かつ、前記バックルを構成する雌バックルであって、一組の帯状体ないしは紐状体の通し部の一方を、この雌バックルにおける掛合窓の形成された側部の一方の側方に備え、かつ、一組の通し部の他方を、この雌バックルにおける掛合窓の形成された側部の他方の側方に備えた雌バックルを、一対の背負いバンドの他方の前面にその長さ方向に沿って配されたバンドを、雌バックルの一組の通し部の一方に通した後、雌バックルの背面を通して一組の通し部の他方から通し抜けさせるようにして、この背負いバンドの前面側に備えさせていることを特徴とするリュックサック。
【発明の詳細な説明】
【技術分野】
【０００１】
この発明は、雄バックルと雌バックルとから構成されており、この雄バックルと雌バックルとの掛合によって、この雄バックル側に取り付けられた帯状体ないしは紐状体などと、この雌バックル側に取り付けられた帯状体ないしは紐状体などとを、このバックルを介して接続させ合わせるサイドリリースタイプのバックルの改良、および、チェストストラップを有しており、かつ、かかるサイドリリースタイプのバックルによって、このチエストストラップが一対の背負いバンド間に亘った張り込み状態を解除可能に維持するようにしたリュックサックの改良に関する。
【背景技術】
【０００２】
サイドリリースタイプのバックルは、扁平筒状をなす雌バックルと、この雌バックル内に差し込まれる差込脚部を備えた雄バックルとから構成され、雌バックルに形成された掛合窓にこの差し込みを通じて雄バックルの差込脚部に形成された掛合部を差込脚部の弾発によって入れ込み掛合させて、雄バックルに取り付けられた帯状体などと雌バックルに取り付けられた帯状体などとをつなぎ合わせるようになっている。（特許文献１参照）
【０００３】
しかるに、従来のかかるバックルにあっては、雄バックルに対してはこの雄バックルの差込脚部の突き出し側と反対の側に形成された帯状体などの通し部に帯状体などを通してこの帯状体などを取り付け、また、雌バックルに対してはこの雌バックルの入込開口の形成側と反対の側に形成された帯状体などの通し部に帯状体などを通してこの帯状体などを取り付けるようにしていた。このため、従来のかかるバックルは、雄バックルと雌バックルとの掛合を通じて帯状体などの端末部同士を直線的につなぎ合わせるに留まるものであった。
【０００４】
また、かかるタイプのバックルは、リュックサックのチェストストラップの張り込みにもしばしば用いられている。典型的には、リュックサックの一対の背負いバンドの一方に他端部を接合させた一方帯状体の一端部に雄バックルを、リュックサックの一対の背負いバンドの他方に他端部を接合させた他方帯状体の一端部に雌バックルを設けさせ、この雄バックルと雌バックルとを掛合させ合わせることでつなぎ合わされる両帯状体によって一対の背負いバンド間にチェストストラップが張り込まれるようにしていた。
【０００５】
しかし、従来の手法では、このようにチェストストラップに使用されている雄バックルと雌バックルとを掛合させ合わせるためにはリュックサックを背負い込んだ使用者が両手を使わざるを得なかった。すなわち、掛合を解除された状態では、雄バックルの取り付けられている帯状体も雌バックルの取り付けられている帯状体も下方に垂れ下がってしまうため、両バックルの掛合にあたっては両バックルそれぞれ把持して、使用者の胸部前面において雌バックル内に雄バックルの差込脚部を入れ込ませざるを得なかった。
【特許文献１】特開平09-075112公報
【発明の開示】
【発明が解決しようとする課題】
【０００６】
この発明にかかるバックルが解決しようとする主たる問題点は、サイドリリースタイプのバックルにおいて、このバックルを構成する雄バックルと雌バックルとの掛合によって、雄バックルに取り付けられた帯状体などと雌バックルに取り付けられた帯状体などとを、様々なバリエーションをもってつなぎ合わせることができるようにする点にある。また、雌バックルを、一本の帯状体などに対してこの帯状体の長さ方向に移動調整可能な状態で安定的に位置づけることができるようにする点にある。
【０００７】
また、この発明にかかるリュックサックが解決しようとする主たる問題点は、一対の背負いバンド間に亘るように設けられるチエストストラップをサイドリリースタイプのバックルによって張り込めるようにしておきながら、この張り込みのための雄バックルと雌バックルとの掛合操作をリュックサックの使用者が片手で適切になし得るようにする点にある。
【課題を解決するための手段】
【０００８】
前記問題点を解決するために、この発明にあっては、サイドリリースタイプのバックルを、
扁平筒状をなす雌バックルと、この雌バックルの入込開口を通じてこの雌バックル内に内向きに弾性変形させられながら差し込まれる一対の差込脚部を備えた雄バックルとを備え、雌バックルにおける雄バックルの差込脚部の差し込み方向に沿ったこの雌バックルの両幅狭の側部に形成された掛合窓にそれぞれ、この雌バックルに雄バックルの差込脚部を差し込み切った位置でのこの差込脚部の弾発によって、この差込脚部に形成された掛合部を掛合させるように構成されたサイドリリースタイプのバックルであって、
前記雌バックルが、この雌バックルの対向位置にそれぞれ設けられて一組をなす帯状体ないしは紐状体の通し部を、一組以上有していることを特徴とするものとした。
【０００９】
かかる構成によれば、まず、一本の帯状体などに対して、雌バックルを、前記一組の通し部の一方にこの帯状体を通した後、このように通された帯状体をこの一組の通し部の他方から通し抜けさせるようにして、この帯状体などに取り付けることができる。このようにした場合、この帯状体などの長さ方向に沿ってこの帯状体などへの雌バックルの取り付け位置を移動調整することが可能とされる。また、雄バックルが取り付けられた帯状体などとこのように雌バックルが取り付けられた帯状体などとを、雄バックルを雌バックルに掛合させることにより、Ｔ字状をなすようにつなぎ合わせることができる。また、雌バックルは前記一本の帯状体などに前記のように取り付けられることから、雌バックル側を把持することなく、雄バックル側のみを把持した状態で雌バックルに雄バックルを掛合させる操作、つまり、雌バックル内に雄バックルの一対の差込脚部を入れ込む操作をなすことができ、また、この掛合の解除も、雌バックル側を把持することなく、この雌バックルの掛合窓から突き出されている雄バックルの掛合部を雌バックルの内方に押し込むことによりなすことができる。
【００１０】
また、二本の帯状体などに対して、雌バックルを、前記一組の通し部の一方にこの二本の帯状体の一方を通して取り付け、かつ、この一組の通し部の他方にこの二本の帯状体の他方を通して取り付けることにより、この二本の帯状体などを雌バックルを介してつなぎ合わせるようにして、取り付けることができる。このようにした場合、雄バックルが取り付けられた帯状体などとこのように雌バックルが取り付けられた帯状体などとを、雄バックルを雌バックルに掛合させることにより、Ｔ字状をなすようにつなぎ合わせることができる。また、雌バックルは前記二本の帯状体などに前記のように取り付けられることから、雌バックル側を把持することなく、雄バックル側のみを把持した状態で雌バックルに雄バックルを掛合させる操作、つまり、雌バックル内に雄バックルの一対の差込脚部を入れ込む操作をなすことができ、また、この掛合の解除も、雌バックル側を把持することなく、この雌バックルの掛合窓から突き出されている雄バックルの掛合部を雌バックルの内方に押し込むことによりなすことができる。
【００１１】
また、前記一組の通し部の一方が、雌バックルにおける掛合窓の形成された側部の一方の側方に形成され、かつ、一組の通し部の他方が、雌バックルにおける掛合窓の形成された側部の他方の側方に形成されているようにしておくこともできる。
【００１２】
また、このようにした場合、通し部を、雌バックルにおける掛合窓を間において、この掛合窓の形成された側部に一端を一体に接合させて側方に延びる一対のアームと、この一対のアーム間に亘る一以上のクロスバーとから構成されるようにしておくこともできる。
【００１３】
このようにした場合、この一組の通し部を利用して雌バックルに取り付けられた帯状体などと雄バックルに取り付けられた帯状体などとを、雌バックルに雄バックルを掛合させることにより、Ｔ字状をなすようにつなぎ合わせることができる。
【００１４】
また、通し部を、雌バックルにおける掛合窓を間において、この掛合窓の形成された側部に一端を一体に接合させて側方に延びる一対のアームと、この一対のアーム間に亘る一以上のクロスバーとから構成されるようにしておけば、掛合窓が通し部側に臨んでいることから、通し部内の空間を利用して雌バックルの掛合窓から掛合部を突き出させるようにしてこの雌バックルに掛合されている雄バックルのこの掛合部を、この掛合を解く必要が生じた場合に容易に押し込み操作することができる。
【００１５】
また、この発明にかかるリュックサックは、一対の背負いバンド間に亘るチェストストラップを有するリュックサックであって、
扁平筒状をなす雌バックルと、この雌バックルの入込開口を通じてこの雌バックル内に内向きに弾性変形させられながら差し込まれる一対の差込脚部を備えた雄バックルとを備え、雌バックルにおける雄バックルの差込脚部の差し込み方向に沿ったこの雌バックルの両幅狭の側部に形成された掛合窓にそれぞれ、この雌バックルに雄バックルの差込脚部を差し込み切った位置でのこの差込脚部の弾発によって、この差込脚部に形成された掛合部を掛合させるように構成されたサイドリリースタイプのバックルを構成する雄バックルを一対の背負いバンドの一方に他端部を連接させたチェストストラップの一端部に備えており、
かつ、前記バックルを構成する雌バックルであって、一組の帯状体ないしは紐状体の通し部の一方を、この雌バックルにおける掛合窓の形成された側部の一方の側方に備え、かつ、一組の通し部の他方を、この雌バックルにおける掛合窓の形成された側部の他方の側方に備えた雌バックルを、一対の背負いバンドの他方の前面にその長さ方向に沿って配されたバンドを、雌バックルの一組の通し部の一方に通した後、雌バックルの背面を通して一組の通し部の他方から通し抜けさせるようにして、この背負いバンドの前面側に備えさせていることを特徴としている。
【００１６】
かかるリュックサックにあっては、前記バンドを雌バックルの一組の通し部に前記のように通しており、このように通されているバンドによって雌バックルは一対の背負いバンドの前面側にズレなく位置づけられ得ることから、雌バックルを把持することなく、雄バックルのみを把持してこの雄バックルの差込脚部をを雌バックル内に入れ込ませて雌バックルと雄バックルとを掛合させることができ、また、雌バックルの掛合窓から突き出されている雄バックルの掛合部を雌バックルを把持することなく、この掛合を解くように押し込み操作させることができる。すなわち、かかるリュックサックにあっては、チェストストラップの胸部前面への張り込み操作およびこの張り込みを解く操作をリュックサックを背負い込んだ使用者の片手により適切になすことができる。雌バックルの一組の通し部は掛合窓の形成された側部の側方に設けられていることから、雄バックルの差込脚部の入れ込み方向における雌バックルの長さ寸法は通し部を設けさせても変わることがなく、チェストストラップにより絞り込まれる一対の背負いバンド間の間隔は雌バックルと関係なく可能な限り狭めさせることが可能とされる。
【００１７】
また、雌バックルは、前記バンドを前記のように一組の通し部に通してこのバンドに備えられていることから、このバンドに沿って背負いバンドの他方の上下方向に沿って移動させることもでき、また、移動後の位置においてはこのバンドに対し一組の通し部と雌バックルの背面におけるバンドとの接触箇所において適度な摩擦抵抗を生じさせることからこの移動後の位置においても安定的に位置づけられる。これにより、かかるリュックサックにあってはチェストストラップの張り込み位置を必要に応じて適切に変更することもできる。
【発明の効果】
【００１８】
この発明にかかるバックルによれば、バックルを構成する雄バックルと雌バックルとの掛合によって、雄バックルに取り付けられた帯状体などと雌バックルに取り付けられた帯状体などとを、様々なバリエーションをもってつなぎ合わせることができる。また、雌バックルを、一本の帯状体などに対してこの帯状体の長さ方向に移動調整可能な状態で安定的に位置づけることができる。
【００１９】
また、この発明にかかるリュックサックによれば、一対の背負いバンド間に亘るように設けられるチエストストラップをサイドリリースタイプのバックルによって張り込めるようにしておきながら、この張り込みのための雄バックルと雌バックルとの掛合操作をリュックサックの使用者において片手で適切になせるようにすることができる。
【発明を実施するための最良の形態】
【００２０】
以下、図１ないし図１２に基づいて、この発明を実施するための最良の形態について説明する。
【００２１】
なお、ここで図１ないし図４は、この発明に含まれるバックルＳＲの構成例をそれぞれ示しており、各図における（ａ）図は雄バックル１と雌バックル２とを分離させた状態を、各図における（ｂ）図は雄バックル１と雌バックル２とを掛合させた状態を、それぞれ示している。
【００２２】
また、図５ないし図１０は、この発明に含まれるバックルＳＲのより具体的な構成例の一つをそれぞれ示している。
【００２３】
また、図１１は、この発明にかかるリュックサックを構成する一対の背負いバンドＰ、Ｐの要部を示しており、図１２は、このうちの雌バックル２の備え付けられる背負いバンドＰの他方側を断面にして示している。
【００２４】
この実施の形態にかかるサイドリリースタイプのバックルＳＲは、雄バックル１と雌バックル２とから構成されており、この雄バックル１と雌バックル２との掛合によって、この雄バックル１側に取り付けられた帯状体Ｗないしは紐状体（例えば、ベルトなど）などと、この雌バックル２側に取り付けられた帯状体Ｗないしは紐状体（例えば、ベルトなど）などとを、このバックルＳＲを介して接続させ合わせるものである。
【００２５】
また、この実施の形態にかかるリュックサックは、チェストストラップＳを有しており、かつ、かかるサイドリリースタイプのバックルＳＲによって、このチェストストラップＳが一対の背負いバンドＰ、Ｐ間に亘った状態を解除可能に維持するようにしたものである。
【００２６】
かかるサイドリリースタイプのバックルＳＲは、
（１）扁平筒状をなす雌バックル２と、
（２）この雌バックル２の入込開口２０を通じてこの雌バックル２内に内向きに弾性変形させられながら差し込まれる一対の差込脚部１０、１０を備えた雄バックル１とを備え、
（３）雌バックル２における雄バックル１の差込脚部１０の差し込み方向に沿ったこの雌バックル２の両幅狭の側部２２、２２に形成された掛合窓２１にそれぞれ、この雌バックル２に雄バックル１の差込脚部１０を差し込み切った位置でのこの差込脚部１０の弾発によって、この差込脚部１０に形成された掛合部１１を掛合させるように構成されたバックルである。
【００２７】
また、この雄バックル１と雌バックル２との前記掛合は、前記雌バックル２の一方の幅狭の側部２２に形成された掛合窓２１に前記弾発によってこの雌バックル２の内方から入り込んでいる掛合部１１と、この雌バックル２の他方の幅狭の側部２２に形成された掛合窓２１に前記弾発によってこの雌バックル２の内方から入り込んでいる掛合部１１とをそれぞれ、この掛合窓２１を通じて指などによってこの雌バックル２の外方からこの雌バックル２の内方に向けて押し込み操作することにより、解くことができるようになっている。すなわち、このように掛合部１１を押し込むことにより、雄バックル１の差込脚部１０は再び内向きに弾性変形させられ、この差込脚部１０の弾性変形によりこの差込脚部１０に形成された掛合部１１は前記掛合窓２１から外れてこの掛合窓２１との掛合を解く。このように掛合窓２１との掛合部１１の掛合を解かれた雄バックル１の差込脚部１０は雌バックル２内から抜き出し可能となり、雌バックル２内からこの差込脚部１０を抜き出させることによって雄バックル１側に取り付けられた帯状体Ｗなどと、雌バックル２側に取り付けられた帯状体Ｗなどとの接続をワンタッチで解除することが可能とされる。雄バックル１の差込脚部１０が備えるべき所用の弾性変形特性は、典型的には、かかる雄バックル１をプラスチックの射出成形によって形成させることで容易に付与させることができる。
【００２８】
具体的には、扁平筒状をなす雌バックル２は、四つの幅狭の側部２２、２２…と、二つの幅広の側部２３、２３とを有する。四つの幅狭の側部２２、２２…一つに、雄バックル１の差込脚部１０が差し込まれる入込開口２０が形成される。また、この入込開口２０が形成された幅狭の側部２２に隣り合う幅狭の側部２２、２２にそれぞれ、前記掛合窓２１が形成される。
【００２９】
図示の例にあっては、雌バックル２の前記入込開口２０と、この入込開口２０の形成側の幅狭の側部２２に対向する幅狭の側部２２（つまり、雄バックル１の差込脚部１０の差し込み奥側に位置する側部）との間において、雌バックル２はその内方に向けて窪んだ窪み部２４を有しており、この窪み部２４の形成箇所に前記掛合窓２１を備えるように構成されている。
【００３０】
また、雄バックル１は、一対の差込脚部１０、１０と、この差込脚部１０の突き出し基部１２とを備えており、両差込脚部１０、１０はこの突き出し基部１２の一面側にその一端を一体に連接させた状態で、この突き出し基部１２から同じ向きに突き出すように構成されている。また、この一対の差込脚部１０、１０の間には、必要に応じて、中脚１３が備え付けられる。この中脚１３も、前記突き出し基部１２にその一端を一体に連接させた状態で、前記差込脚部１０と同じ向きに突き出すように設けられる。
【００３１】
前記掛合部１１は、このように設けられる一対の差込脚部１０、１０の先端側であって、かつ、その外側（他方の差込脚部１０に向かい合わない側）に形成される。この掛合部１１は、この掛合部１１の形成箇所において差込脚部１０を太くするように張り出し状に形成された突部として構成される。また、この掛合部１１は、前記突き出し基部１２側に向いた顎状をなす掛合面１１ａを有しており、この掛合面１１ａを差込脚部１０の前記弾発によって前記掛合窓２１における前記入込開口２０側にある窓縁に掛合させる構成としてある。
【００３２】
また、前記雌バックル２の掛合窓２１が形成された二つの幅狭の側部２２、２２の一方の内壁と、他方の内壁との間の間隔は、前記入込開口２０からこの入込開口２０側にある掛合窓２１の窓縁との間において、この雌バックル２内に差し込まれる雄バックル１の一対の差込脚部１０、１０の一方に形成された掛合部１１の最大張り出し位置と、この一対の差込脚部１０、１０の他方に形成された掛合部１１の最大張り出し位置との間の間隔よりもやや狭くなるように構成されている。
【００３３】
これにより、前記入込開口２０から入れ込まれる雄バックル１の一対の差込脚部１０、１０は、掛合部１１の接する雌バックル２の内壁によって内向きに弾性変形させられる。そして、この掛合部１１が前記掛合窓２１に入り込み可能な位置までこの差込脚部１０が差し入れられると一対の差込脚部１０、１０の弾発が許容されることとなり、この弾発によって掛合部１１は掛合窓２１に入り込み、この掛合部１１と掛合窓２１とが前記のように掛合されることとなる。
【００３４】
また、かかる雄バックル１は、一対の差込脚部１０、１０の突き出し側と反対の側に、帯状体Ｗなどの通し部１４を備えている。具体的には、前記突き出し基部１２における差込脚部１０の突き出し側と反対の側に、この突き出し基部１２に一端を一体に接合させて側方に延びる一対のアーム１４ａ、１４ａが形成してあると共に、この一対のアーム１４ａ、１４ａ間に亘る二つのクロスバー１４ｂ、１４ｂがこのアーム１４ａの突き出し方向において間隔を開けて設けられており、二つのクロスバー１４ｂ、１４ｂ間の隙間１４ｃに帯状体Ｗなどを通すことによってこの帯状体Ｗなどに雄バックル１を取り付けることができるようになっている。
【００３５】
また、前記雌バックル２は、この雌バックル２の対向位置にそれぞれ設けられて一組をなす帯状体Ｗないしは紐状体の通し部２５を、一組以上有している。
【００３６】
これにより、この実施の形態にかかるバックルＳＲにあっては、まず、一本の帯状体Ｗなどに対して、雌バックル２を、前記一組の通し部２５、２５の一方にこの帯状体Ｗを通した後、このように通された帯状体Ｗをこの一組の通し部２５、２５の他方から通し抜けさせるようにして、この帯状体Ｗなどに取り付けることができる。このようにした場合、この帯状体Ｗなどの長さ方向に沿ってこの帯状体Ｗなどへの雌バックル２の取り付け位置を移動調整することが可能とされる。また、雄バックル１が取り付けられた帯状体Ｗなどとこのように雌バックル２が取り付けられた帯状体Ｗなどとを、雄バックル１を雌バックル２に掛合させることにより、Ｔ字状をなすようにつなぎ合わせることができる。また、雌バックル２は前記一本の帯状体Ｗなどに前記のように取り付けられることから、雌バックル２側を把持することなく、雄バックル１側のみを把持した状態で雌バックル２に雄バックル１を掛合させる操作、つまり、雌バックル２内に雄バックル１の一対の差込脚部１０、１０を入れ込む操作をなすことができ、また、この掛合の解除も、雌バックル２側を把持することなく、この雌バックル２の掛合窓２１から突き出されている雄バックル１の掛合部１１を雌バックル２の内方に押し込むことによりなすことができる。（図１）
【００３７】
また、二本の帯状体Ｗなどに対して、雌バックル２を、前記一組の通し部２５、２５の一方にこの二本の帯状体Ｗの一方を通して取り付け、かつ、この一組の通し部２５、２５の他方にこの二本の帯状体Ｗの他方を通して取り付けることにより、この二本の帯状体Ｗなどを雌バックル２を介してつなぎ合わせるようにして、取り付けることができる。このようにした場合、雄バックル１が取り付けられた帯状体Ｗなどとこのように雌バックル２が取り付けられた帯状体Ｗなどとを、雄バックル１を雌バックル２に掛合させることにより、Ｔ字状をなすようにつなぎ合わせることができる。また、雌バックル２は前記二本の帯状体Ｗなどに前記のように取り付けられることから、雌バックル２側を把持することなく、雄バックル１側のみを把持した状態で雌バックル２に雄バックル１を掛合させる操作、つまり、雌バックル２内に雄バックル１の一対の差込脚部１０、１０を入れ込む操作をなすことができ、また、この掛合の解除も、雌バックル２側を把持することなく、この雌バックル２の掛合窓２１から突き出されている雄バックル１の掛合部１１を雌バックル２の内方に押し込むことによりなすことができる。（図２）
【００３８】
また、雌バックル２の対向位置にそれぞれ設けられて一組をなす通し部２５に加え、この一組の通し部２５、２５の設けられている箇所以外の箇所にさらに追加の通し部２６を形成させておくこともある。
【００３９】
図３は、雌バックル２の掛合窓２１の形成された側部２２の側方にそれぞれ通し部２５を設けて前記一組をなす通し部２５、２５を形成させていると共に、雌バックル２の入込開口２０と反対の側部に追加の通し部２６を形成させた例を示している。
【００４０】
このようにした場合、かかる一組の通し部２５、２５を利用して雌部材が取り付けられた帯状体Ｗなどと、追加の通し部２６に通されて取り付けられた帯状体Ｗなどとを、雌バックル２を介してＴ字状をなすようにつなぎ合わせることができる。そして、このようにこれらの帯状体Ｗなどに取り付けられた雌バックル２に対して雄バックル１を掛合させることにより、雄バックル１が取り付けられた帯状体Ｗなどとこのように雌バックル２が取り付けられた帯状体Ｗなどとを、十字状をなすようにつなぎ合わせることができる。（図３）
【００４１】
また、雌バックル２の対向位置にそれぞれ設けられて一組をなす通し部２５、２５に加え、この一組の通し部２５、２５の設けられている箇所以外の箇所のうちの対向位置にそれぞれ、さらに追加の通し部２６を形成させ、雌バックル２が対向位置にそれぞれ設けられて一組をなす通し部２５、２５・２６、２６を二対持つようにしておくこともある。
【００４２】
図４は、雌バックル２の掛合窓２１の形成された側部２２の側方にそれぞれ通し部２５を設けて前記一組をなす通し部２５、２５を形成させていると共に、雌バックル２の入込開口２０の形成された側部２２とこの入込開口２０に反対の側部２２とにそれぞれ、追加の通し部２６を形成させた例を示している。
【００４３】
このようにした場合、かかる二対の一組の通し部２５、２５・２６、２６の一方を利用して取り付けられた帯状体Ｗなどと、かかる二対の一組の通し部２５、２５・２６、２６の他方を利用して取り付けられた帯状体Ｗなどとを、雌バックル２を介して十字状をなすようにつなぎ合わせることができる。そして、このようにこれらの帯状体Ｗなどに取り付けられた雌バックル２に対して雄バックル１を掛合させることにより、雄バックル１が取り付けられた帯状体Ｗなどとこのように雌バックル２が取り付けられて帯状体Ｗなどとを、つなぎ合わせることができる。（図４）
【００４４】
図５ないし図１０は、かかるバックルＳＲのより具体的な一構成例を示したものである。
【００４５】
この図５ないし図１０に示される例にあっては、前記一組の通し部２５、２５の一方が、雌バックル２における掛合窓２１の形成された側部２２の一方の側方に形成され、かつ、一組の通し部２５、２５の他方が、雌バックル２における掛合窓２１の形成された側部２２の他方の側方に形成されている。
【００４６】
これにより、この例にあっては、この一組の通し部２５、２５を利用して雌バックル２に取り付けられた帯状体Ｗなどと雄バックル１に取り付けられた帯状体Ｗなどとを、雌バックル２に雄バックル１を掛合させることにより、Ｔ字状をなすようにつなぎ合わせることができるようになっている。
【００４７】
また、この例にあっては、通し部２５が、雌バックル２における掛合窓２１を間において、この掛合窓２１の形成された側部２２に一端を一体に接合させて側方に延びる一対のアーム２５ａ、２５ａと、この一対のアーム２５ａ、２５ａ間に亘る一以上のクロスバー２５ｂ、２５ｃとから構成されている。
【００４８】
具体的には、この例にあっては、このように雌バックル２の側部２２に一端を一体に接合させた一対のアーム２５ａ、２５ａの他端間に亘るようにエンドクロスバー２５ｂが形成されていると共に、このエンドクロスバー２５ｂとの間と、雌バックル２の側部２２との間にそれぞれ隙間２５ｄを開けた状態で、この一対のアーム２５ａ、２５ａ間に亘るように中間クロスバー２５ｃが形成されている。そして、この例にあっては、中間クロスバー２５ｃとエンドクロスバー２５ｂとの間の隙間２５ｄに通して引き出された帯状体Ｗを中間クロスバー２５ｃと雌バックル２の側部２２との間の隙間２５ｄに入れ込ませてこの中間クロスバー２５ｃに巻き掛け、再び、雌バックル２から引き出すようにして、この帯状体Ｗなどを雌バックル２に取り付けできるようになっている。あるいはまた、一組の通し部２５、２５の一方における中間クロスバー２５ｃとエンドクロスバー２５ｂとの間の隙間２５ｄに通して引き出された一本の帯状体Ｗを中間クロスバー２５ｃと雌バックル２の側部２２との間の隙間２５ｄに入れ込ませ、さらに、雌バックル２の背面２７を通した後、一組の通し部２５、２５の他方における中間クロスバー２５ｃと雌バックル２の側部２２との間の隙間２５ｄに通して引き出し、これをさらに中間クロスバー２５ｃとエンドクロスバー２５ｂとの間の隙間２５ｄに入れ込ませながら雌バックル２から引き出されるようにして、この帯状体Ｗなどに雌バックル２を取り付けできるようになっている。このように一本の帯状体Ｗなおに雌バックル２を取り付けた場合、一組の通し部２５、２５における中間クロスバー２５ｃとエンドクロスバー２５ｂとによって屈曲された帯状体Ｗなどに対しこの中間クロスバー２５ｃとエンドクロスバー２５ｂの接触箇所において適度な摩擦抵抗を生じさせることができ、この帯状体Ｗなどの長さ方向に沿って雌バックル２を移動調整操作可能な状態で、この帯状体Ｗなどに安定的に雌バックル２を備えさせることができる。
【００４９】
この例のようにした場合、掛合窓２１が通し部２５側に臨んでいることから、通し部２５内の空間を利用して雌バックル２の掛合窓２１から掛合部１１を突き出させるようにしてこの雌バックル２に掛合されている雄バックル１のこの掛合部１１を、この掛合を解く必要が生じた場合に容易に押し込み操作することができる。
【００５０】
また、この例にあっては、通し部２５を構成する一対のアーム２５ａ、２５ａがそれぞれ、このアーム２５ａの側面のうち雌バックル２の二つの幅広の側部２３、２３の一方の外面（雌バックル２の表面２８）と同じ側に位置される側面を、この雌バックル２の表面２８のレベルよりも下方に位置させるようにして、この雌バックル２の掛合窓２１の形成されている幅狭の側部２２に接合されている。これにより、この例にあっては、雌バックル２の表面２８側から通し部２５側に臨んでいる掛合窓２１から突き出されている雄バックル１の掛合部１１をより容易に押し込み操作し易いようになっている。
【００５１】
また、この例にあっては、雌バックル２における入込開口２０が形成されている幅狭の側部２２およびこれと反対の幅狭の側部２２とにそれぞれ帯状体Ｗなどの追加の通し部２６が形成されている。この例にあっては、いずれの追加の通し部２６も、雌バックル２の背面２７を構成する幅広の側部２３の他方に続いて側方に突き出す板状突片２６ａに雌バックル２の幅方向に沿ったスリット２６ｂを形成させることにより、構成されている。これによりこの例にあっては、この追加の通し部２６の双方と前記一組の通し部２５、２５とを利用して、雌バックル２を介して、この雌バックル２に取り付けられる帯状体Ｗなどを十字状をなすようにつなぎ合わせることもできるようになっている。
【００５２】
次いで、この実施の形態にかかるリュックサックは、
（１）一対の背負いバンドＰ、Ｐ間に亘るチェストストラップＳを有するリュックサックであって、
（２）前記雄バックル１を一対の背負いバンドＰ、Ｐの一方に他端部を連接させたチェストストラップＳの一端部に備え、
（３）かつ、前記のような基本構造を備えた雌バックル２であって、一組の帯状体Ｗないしは紐状体の通し部２５の一方を、この雌バックル２における掛合窓２１の形成された側部の一方の側方に備え、かつ、一組の通し部２５、２５の他方を、この雌バックル２における掛合窓２１の形成された側部の他方の側方に備えた雌バックル２を、一対の背負いバンドＰ、Ｐの他方の前面においてその長さ方向に沿って配されるように背負いバンドＰに備え付けられたバンドＷ’を、雌バックル２の一組の通し部２５、２５の一方に通した後、雌バックル２の背面２７を通して一組の通し部２５、２５の他方から通し抜けさせるようにして、この背負いバンドＰの前面側に備えさせている。典型的には、かかるバンドＷ’は背負いバンドＰの他方に対し縫着などして備え付けられ、雌バックル２はこのように備え付けられるバンドＷ’における背負いバンドＰの他方の前面には接しているが縫着などが施されていない中間部に前記のように取り付けられる。
【００５３】
図示の例にあっては、雄バックル１は、チェストストラップＳを構成する帯状体Ｗを雄バックル１の通し部２５に通させることにより、より具体的には、この通し部２５を構成する二つのクロスバー１４ｂ、１４ｂの間の隙間１４ｃのうち、雄バックル１の突き出し基部１２側の隙間１４ｃに通して前方に引き出させた帯状体Ｗをもう一方の隙間１４ｃに入れ込ませて後方に引き込みこのように引き込まれた帯状体Ｗをアーム１４ａの先端側に位置されるクロスバー１４ｂの背面を通して側方に引き出すようにして、このチェストストラップＳの一端部に備え付けられている。チェストストラップＳの他端部は、一対の背負いバンドＰ、Ｐの一方にこのチェストストラップＳを構成する帯状体Ｓａを巻き付けた後、この巻き付け状態を維持させるように帯状体Ｓａの他端部の末端を帯状体Ｓａの中間部に止め付けるようにして、この一対の背負いバンドＰ、Ｐの一方にこの背負いバンドＰの一方の長さ方向に沿った移動を可能とした状態で備え付けられている。
【００５４】
また、図示の例にあっては、雌バックル２を、前記図５ないし図１０に示された雌バックル２と同一の構造を備えた雌バックル２としている。そして、この雌バックル２における一組の通し部２５、２５に前記のように一対の背負いバンドＰ、Ｐの他方の前面においてその長さ方向に沿って配されたバンドＷ’を通して、このバンドＷ’に取り付けさせている。
【００５５】
かかるリュックサックにあっては、前記バンドＷ’を雌バックル２の一組の通し部２５、２５に前記のように通しており、このように通されているバンドＷ’によって雌バックル２は一対の背負いバンドＰ、Ｐの前面側にズレなく位置づけられる得ることから、雌バックル２を把持することなく、雄バックル１のみを把持してこの雄バックル１の差込脚部１０をを雌バックル２内に入れ込ませて雌バックル２と雄バックル１とを掛合させることができ、また、雌バックル２の掛合窓２１から突き出されている雄バックル１の掛合部１１を雌バックル２を把持することなく、この掛合を解くように押し込み操作させることができる。すなわち、かかるリュックサックにあっては、チェストストラップＳの胸部前面への張り込み操作およびこの張り込みを解く操作をリュックサックを背負い込んだ使用者の片手により適切になすことができる。
【００５６】
また、雌バックル２は、前記バンドＷ’を前記のように一組の通し部２５、２５に通してこのバンドＷ’に備えられていることから、このバンドＷ’に沿って背負いバンドＰの他方の上下方向に沿って移動させることもでき、また、移動後の位置においてはこのバンドＷ’に対し一組の通し部２５、２５と雌バックル２の背面２７におけるバンドとの接触箇所において適度な摩擦抵抗を生じさせることからこの移動後の位置においても安定的に位置づけられる。これにより、かかるリュックサックにあってはチェストストラップＳの張り込み位置を必要に応じて適切に変更することもできる。
【００５７】
なお、図示の例にあっては、雌バックル２の一組の追加の通し部２６、２６に亘って、背負いバンドＰの他方の背面を通り、かつ、この一組の追加の通し部２６の一方に一端を通してこの通し部２６からこの一端が抜け出さないようにこの一端側の端末を加工されると共に、この一組の追加の通し部２６の他方に他端を通してこの通し部２６からこの他端が抜け出さないようにこの他端側の端末を加工された帯状体Ｗ”が取り付けられており、この帯状体Ｗ”によって雌バックル２の背面２７が背負いバンドＰの他方の前面に押しつけられるようになっている。また、雌バックル２の背面２７には、一組の通し部２５、２５を構成する中間クロスバー２５ｃの背面とほぼ同面上に突き出し端面を位置させる隆起部２９が形成されており、一組の通し部２５、２５の一方におけるエンドクロスバー２５ｂと中間クロスバー２５ｃとの間の隙間２５ｄに対し背面２７側から入れ込まれ中間クロスバー２５ｃの前面を通ってこの中間クロスバー２５ｃと雌バックル２の幅狭の側部２２との間の隙間２５ｄから再び背面２７側に入り込み、前記隆起部２９の突き出し端を通って一組の通し部２５、２５の他方における中間クロスバー２５ｃと雌バックル２の幅狭の側部２２との間の隙間２５ｄから前面に引き出され、さらに、エンドクロスバー２５ｂと中間クロスバー２５ｃとの間の隙間２５ｄに入れ込まれてエンドクロスバー２５ｂの背面を通って引き出されるようにして雌バックル２に取り付けられた前記バンドＷ”は、複数箇所で屈曲されて雌バックル２に取り付けられるものとされ、このように取り付けられるバンドＷ”と雌バックル２との間に適度な摩擦抵抗が効果的に生じるようになっている。（図１２）
【図面の簡単な説明】
【００５８】
【図１】バックルＳＲの構成例の一つを示した正面図
【図２】バックルＳＲの構成例の他の一つを示した正面図
【図３】バックルＳＲの構成例のさらに他の一つを示した正面図
【図４】バックルＳＲの構成例のさらに他の一つを示した正面図
【図５】バックルＳＲのより具体的な構成例の一つを示した分離斜視図
【図６】同掛合状態の斜視図
【図７】同分離正面図
【図８】同分離背面図
【図９】同分離平面図
【図１０】同分離断面図
【図１１】リュックサックの要部正面図
【図１２】図１１におけるＡ−Ａ線断面図
【符号の説明】
【００５９】
１  雄バックル
１０  差込脚部
１１  掛合部
２  雌バックル
２０  入込開口
２１  掛合窓
２５  通し部
２６  追加の通し部
Ｗ  帯状体
ＳＲ  バックル
【図１】
2005160687.tif 000003
【図２】
2005160687.tif 000004
【図３】
2005160687.tif 000005
【図４】
2005160687.tif 000006
【図５】
2005160687.tif 000007
【図６】
2005160687.tif 000008
【図７】
2005160687.tif 000009
【図８】
2005160687.tif 000010
【図９】
2005160687.tif 000011
【図１０】
2005160687.tif 000012
【図１１】
2005160687.tif 000013
【図１２】
2005160687.tif 000014